(57)【要約】【課題】効率的にユーザに被服を推薦すること。【解決手段】一実施形態に係る被服レコメンドシステムは、少なくとも一つのプロセッサを備える。少なくとも一つのプロセッサは、ユーザの身体の測定値を取得し、測定値以外のユーザの付加情報を取得し、人の身体の測定値と、該人の体型の特徴である体型特徴との関係を示すルールに基づいて、取得された測定値からユーザの体型特徴を判定し、被服と体型特徴との対応関係を示す被服情報を記憶するデータベースを参照して、ユーザの被服サイズと、判定された体型特徴と、取得された付加情報とに対応する被服を検索し、検索された被服を示すレコメンド情報を出力する。【選択図】図１
2020144503.tif 000002
【特許請求の範囲】
【請求項１】
少なくとも一つのプロセッサを備え、
前記少なくとも一つのプロセッサが、
ユーザの身体の測定値を取得し、
前記測定値以外の前記ユーザの付加情報を取得し、
人の身体の測定値と、該人の体型の特徴である体型特徴との関係を示すルールに基づいて、前記取得された測定値から前記ユーザの前記体型特徴を判定し、
被服と体型特徴との対応関係を示す被服情報を記憶するデータベースを参照して、前記ユーザの被服サイズと、前記判定された体型特徴と、前記取得された付加情報とに対応する被服を検索し、
前記検索された被服を示すレコメンド情報を出力する、
被服レコメンドシステム。
【請求項２】
前記被服が、カップ部を有する衣服である、
請求項１に記載の被服レコメンドシステム。
【請求項３】
前記測定値が、アンダーバスト横径およびアンダーバスト厚径の組合せと、チェスト横径および前記アンダーバスト横径の組合せと、バストの容量であるバスト・ボリュームと、バストの底面の幅であるバージス間隔と、左右のバストの間隔であるバスト・ピッチとのうちの少なくとも一つを含み、
前記少なくとも一つのプロセッサが、前記アンダーバスト横径と前記アンダーバスト厚径との比であるボディ・オーバルと、前記チェスト横径と前記アンダーバスト横径との比であるトップ・テーパと、前記バスト・ボリュームと、前記バージス間隔と、前記バスト・ピッチとのうちの少なくとも一つに基づいて前記ユーザの体型特徴を判定する、
請求項２に記載の被服レコメンドシステム。
【請求項４】
少なくとも一つのプロセッサを備える被服レコメンドシステムにより実行される被服レコメンド方法であって、
ユーザの身体の測定値を取得するステップと、
前記測定値以外の前記ユーザの付加情報を取得するステップと、
人の身体の測定値と、該人の体型の特徴である体型特徴との関係を示すルールに基づいて、前記取得された測定値から前記ユーザの前記体型特徴を判定するステップと、
被服と体型特徴との対応関係を示す被服情報を記憶するデータベースを参照して、前記ユーザの被服サイズと、前記判定された体型特徴と、前記取得された付加情報とに対応する被服を検索するステップと、
前記検索された被服を示すレコメンド情報を出力するステップと
を含む被服レコメンド方法。
【請求項５】
ユーザの身体の測定値を取得するステップと、
前記測定値以外の前記ユーザの付加情報を取得するステップと、
人の身体の測定値と、該人の体型の特徴である体型特徴との関係を示すルールに基づいて、前記取得された測定値から前記ユーザの前記体型特徴を判定するステップと、
被服と体型特徴との対応関係を示す被服情報を記憶するデータベースを参照して、前記ユーザの被服サイズと、前記判定された体型特徴と、前記取得された付加情報とに対応する被服を検索するステップと、
前記検索された被服を示すレコメンド情報を出力するステップと
をコンピュータに実行させる被服レコメンドプログラム。
【発明の詳細な説明】
【技術分野】
【０００１】
本開示の一側面は、被服レコメンドシステム、被服レコメンド方法、および被服レコメンドプログラムに関する。
【背景技術】
【０００２】
体型に合った被服をユーザに推薦するためのコンピュータシステムが知られている。例えば、特許文献１には、予め設定された複数の体型パターンの各サイズに応じたそれぞれの形状を有する被服群と、ユーザの体型の所定部位を測定したデータに基づいて、各体型パターンの各サイズのうちいずれの体型パターン及びサイズに対応するかを案内するガイド手段とを備え、ガイド手段により案内された体型パターン及びサイズに応じた形状を有する被服を被服群の中から提供する被服販売システムが記載されている。
【先行技術文献】
【特許文献】
【０００３】
【特許文献１】特開２００２−７４０９５号公報
【発明の概要】
【発明が解決しようとする課題】
【０００４】
被服に関する要望は様々であり、且つ人の体型は一人一人異なるので、個人が好む被服を提供することは簡単ではない。そこで、効率的にユーザに被服を推薦する仕組みが望まれている。
【課題を解決するための手段】
【０００５】
本開示の一側面に係る被服レコメンドシステムは、少なくとも一つのプロセッサを備える。少なくとも一つのプロセッサは、ユーザの身体の測定値を取得し、測定値以外のユーザの付加情報を取得し、人の身体の測定値と、該人の体型の特徴である体型特徴との関係を示すルールに基づいて、取得された測定値からユーザの体型特徴を判定し、被服と体型特徴との対応関係を示す被服情報を記憶するデータベースを参照して、ユーザの被服サイズと、判定された体型特徴と、取得された付加情報とに対応する被服を検索し、検索された被服を示すレコメンド情報を出力する。
【０００６】
本開示の一側面に係る被服レコメンド方法は、少なくとも一つのプロセッサを備える被服レコメンドシステムにより実行される。被服レコメンド方法は、ユーザの身体の測定値を取得するステップと、測定値以外のユーザの付加情報を取得するステップと、人の身体の測定値と、該人の体型の特徴である体型特徴との関係を示すルールに基づいて、取得された測定値からユーザの体型特徴を判定するステップと、被服と体型特徴との対応関係を示す被服情報を記憶するデータベースを参照して、ユーザの被服サイズと、判定された体型特徴と、取得された付加情報とに対応する被服を検索するステップと、検索された被服を示すレコメンド情報を出力するステップとを含む。
【０００７】
本開示の一側面に係る被服レコメンドプログラムは、ユーザの身体の測定値を取得するステップと、測定値以外のユーザの付加情報を取得するステップと、人の身体の測定値と、該人の体型の特徴である体型特徴との関係を示すルールに基づいて、取得された測定値からユーザの体型特徴を判定するステップと、被服と体型特徴との対応関係を示す被服情報を記憶するデータベースを参照して、ユーザの被服サイズと、判定された体型特徴と、取得された付加情報とに対応する被服を検索するステップと、検索された被服を示すレコメンド情報を出力するステップとをコンピュータに実行させる。
【０００８】
このような側面においては、ユーザの被服サイズと、該ユーザの身体の測定値から判定される該ユーザの体型特徴と、該ユーザの付加情報とに基づいて被服が検索され、その検索結果が出力される。これら３種類の情報を用いて被服を検索することで、効率的にユーザに被服を推薦することができる。
【発明の効果】
【０００９】
本開示の一側面によれば、効率的にユーザに被服を推薦することができる。
【図面の簡単な説明】
【００１０】
【図１】実施形態に係る被服レコメンドシステムの機能構成の一例を示す図である。
【図２】実施形態に係る被服レコメンドシステムとして機能し得るコンピュータのハードウェア構成の一例を示す図である。
【図３】実施形態における体型特徴の例を示す図である。
【図４】被服情報の一例を示す図である。
【図５】実施形態に係る被服レコメンドシステムの動作を示すフローチャートである。
【発明を実施するための形態】
【００１１】
以下、添付図面を参照しながら本開示での実施形態を詳細に説明する。なお、図面の説明において同一または同等の要素には同一の符号を付し、重複する説明を省略する。
【００１２】
［システムの構成］
実施形態に係る被服レコメンドシステム１０は、体型に合った被服をユーザに推薦するためのコンピュータシステムである。ユーザは被服レコメンドシステム１０を利用することで自分の体型に合った被服を知ることができる。被服とは、身体に着用するものをいう。被服レコメンドシステム１０により推薦される被服は限定されず、例えば、衣服、履物、またはアクセサリでもよい。衣服はトップス（上半身に着る衣服）でもよいしボトムス（下半身に着る衣服）でもよい。衣服の一例として、カップ部を有する衣服が挙げられ、この具体例として、ブラジャー、カップ付きキャミソール、カップ付きワンピースなどが挙げられる。本実施形態では、被服の例としてブラジャーを示す。
【００１３】
図１は、被服レコメンドシステム１０の機能構成の一例を示す図である。被服レコメンドシステム１０は通信ネットワークを介して端末２０、測定システム３０、およびデータベース４０とデータを送受信することができる。通信ネットワークのそれぞれの構成および種類は何ら限定されず、任意の方針で設計されてよい。例えば、通信ネットワークはインターネット、イントラネット、またはこれらの組合せによって構築されてもよい。また、通信ネットワークは有線通信ネットワーク、無線通信ネットワーク、またはこれらの組合せによって構築されてもよい。
【００１４】
端末２０は、被服の検索条件として用いられる情報を受け付け、その検索条件に合致する被服の情報を表示するコンピュータである。端末２０の種類は限定されず、例えば、携帯電話機、高機能携帯電話機（スマートフォン）、タブレット端末、ウェアラブル端末、ラップトップコンピュータなどの携帯端末でもよいし、据置型のパーソナルコンピュータでもよい。端末２０の所有者および使用者も限定されず、例えば、端末２０は被服を販売する店舗により所有または使用されてもよいし、被服を購入する可能性があるユーザにより所有または使用されてもよい。
【００１５】
測定システム３０は、ユーザの身体（より具体的には、推薦される被服に対応する部位）を測定してその測定値を提供するコンピュータシステムである。測定システム３０の具体的な構成は限定されず、任意に設計されてよい。例えば、測定システム３０は３次元スキャナ（３Ｄスキャナ）または各種センサを含んで構成されてもよい。測定システム３０は被服レコメンドシステム１０と別のコンピュータシステムでもよいし、被服レコメンドシステム１０の一構成要素でもよい。測定システム３０の構成が限定されないことに対応して、測定値を得る方法も限定されない。例えば、測定システム３０は３Ｄスキャナ、各種センサなどの構成要素から得られるデータに基づいて測定値を算出してもよい。あるいは、測定システム３０はその構成要素によって計測または算出された値を測定値として取得してもよい。
【００１６】
データベース４０は、被服レコメンドシステム１０での処理に必要な情報を記憶する装置（記憶部）である。本実施形態では、データベース４０は被服に関する被服情報を記憶する。被服情報は個々の被服の属性を示す。被服情報は、有償または無償で取引可能な個々の被服商品の属性を示してもよい。被服の属性とは、被服を特徴付けるデータ項目のことをいい、例えば、形状特徴、寸法特徴、生地特性、部材特性、構造特徴、縫製特徴、衣服圧、または機能のことをいう。被服の属性は被服の画像（製品画像）を含んでもよい。データベース４０は、人の身体の測定値と体型特徴との対応関係を規定する体型特徴情報をさらに記憶してもよい。体型特徴とは人の体型の特徴を示す指標のことをいい、例えば、測定値に基づく計算または分類により規定される。データベース４０は、人の身体の測定値と被服サイズとの対応関係を規定する被服サイズ情報をさらに記憶してもよい。被服サイズとは被服そのものの大きさを示す値である。
【００１７】
被服レコメンドシステム１０は機能要素として取得部１１、判定部１２、検索部１３、および送信部１４を備える。取得部１１は、被服の推薦に必要な情報を取得する機能要素である。より具体的には、取得部１１は、ユーザの身体の測定値と、測定値以外の該ユーザの付加情報とを少なくとも取得する。判定部１２はその測定値からユーザの体型特徴を判定する機能要素である。検索部１３は、ユーザの被服サイズと、判定された体型特徴と、取得された付加情報とに対応する被服情報をデータベース４０から検索する機能要素である。ユーザの被服サイズとは、ユーザに合うと予想される被服サイズのことをいう。送信部１４は、検索された被服を示すレコメンド情報を端末２０に送信する機能要素である。この送信は出力の一例である。
【００１８】
図２は、被服レコメンドシステム１０として機能し得るコンピュータ１００のハードウェア構成の一例を示す図である。例えば、コンピュータ１００はプロセッサ１０１、主記憶部１０２、補助記憶部１０３、通信制御部１０４、入力装置１０５、および出力装置１０６を備える。プロセッサ１０１はオペレーティングシステムおよびアプリケーションプログラムを実行する。主記憶部１０２は例えばＲＯＭおよびＲＡＭで構成される。補助記憶部１０３は例えばハードディスクまたはフラッシュメモリで構成され、一般に主記憶部１０２よりも大量のデータを記憶する。補助記憶部１０３は、少なくとも１台のコンピュータを被服レコメンドシステム１０として機能させるためのプログラム１１０を記憶する。通信制御部１０４は例えばネットワークカードまたは無線通信モジュールで構成される。入力装置１０５は例えばキーボード、マウス、タッチパネルなどで構成される。出力装置１０６は例えばモニタおよびスピーカで構成される。
【００１９】
被服レコメンドシステム１０の各機能要素は、プロセッサ１０１または主記憶部１０２の上にプログラム１１０を読み込ませてそのプログラムを実行させることで実現される。プログラム１１０は、被服レコメンドシステム１０の各機能要素を実現するためのコードを含む。プロセッサ１０１はプログラム１１０に従って、通信制御部１０４、入力装置１０５、または出力装置１０６を動作させ、主記憶部１０２または補助記憶部１０３におけるデータの読み出しおよび書き込みを行う。この処理により被服レコメンドシステム１０の各機能要素が実現される。処理に必要なデータまたはデータベースは主記憶部１０２または補助記憶部１０３に格納されてもよい。
【００２０】
プログラム１１０は被服レコメンドプログラムに相当する。プログラム１１０は、例えば、ＣＤ−ＲＯＭ、ＤＶＤ−ＲＯＭ、半導体メモリなどの有形の記録媒体に固定的に記録された上で提供されてもよい。あるいは、プログラム１１０は、搬送波に重畳されたデータ信号として通信ネットワークを介して提供されてもよい。
【００２１】
被服レコメンドシステム１０は一つまたは複数のコンピュータ（例えばサーバコンピュータ）により構成され得る。複数のコンピュータが用いられる場合には、通信ネットワークを介してこれらのコンピュータが互いに接続されることで被服レコメンドシステム１０が構成される。
【００２２】
図３は、判定部１２によって判定される体型特徴の例を示す図である。本実施形態では、判定部１２はボディ・オーバル（ｂｏｄｙ  ｏｖａｌ）、トップ・テーパ（ｔｏｐ  ｔａｐｅｒ）、バスト・ボリューム（ｂｕｓｔ  ｖｏｌｕｍｅ）、バージス間隔（Ｖｅｒｇｅ’ｓ  ｗｉｄｔｈ）、およびバスト・ピッチ（ｂｕｓｔ  ｐｉｔｃｈ）という５種類の体型特徴のうちの少なくとも一つを判定する。これらの体型特徴はいずれも、ブラジャーなどの、カップ部を有する衣服の着心地に大きく関連する。
【００２３】
ボディ・オーバルは胴体の断面形状の特徴を示す指標であり、アンダーバスト横径とアンダーバスト厚径との比で表される。ボディ・オーバルは上半身（胴体）の特徴に関する指標の一種ということができる。アンダーバスト横径とは、バスト（乳房）の最下点（より具体的には、アンダーバストの一番下の位置）における、胴体の左右方向の長さのことをいう。アンダーバスト厚径とは、バストの最下点における胴体の前後方向の長さのことをいう。本実施形態ではボディ・オーバルは式（１）で得られることとする。式（１）は測定値と体型特徴との関係を示すルールの一種である。
（ボディ・オーバル）＝（アンダーバスト横径）／（アンダーバスト厚径）  …（１）
ボディ・オーバルが小さい場合には、ユーザは丸胴でバストが外向きである傾向があるといえる。ボディ・オーバルが大きい場合には、ユーザは扁平胴でバストが正面を向く傾向があるといえる。
【００２４】
トップ・テーパは、上下方向に沿った胴体の特徴を示す指標であり、チェスト横径とアンダーバスト横径との比で表される。トップ・テーパも、上半身（胴体）の特徴に関する指標の一種ということができる。チェスト横径とは、脇下（より具体的には、チェスト囲が測定される位置）における胴体の左右方向の長さのことをいう。本実施形態ではトップ・テーパは式（２）で得られることとする。式（２）も測定値と体型特徴との関係を示すルールの一種である。
（トップ・テーパ）＝（チェスト横径）／（アンダーバスト横径）  …（２）
トップ・テーパが小さい場合には、ユーザのバスト、アンダーバスト、およびウェストの差が小さく、ブラジャーのバック下辺がくい込み易い傾向があるといえる。トップ・テーパが大きい場合には、ユーザのバスト、アンダーバスト、およびウェストの差が大きく、ブラジャーのバック上辺がくい込み易い傾向があるといえる。
【００２５】
バスト・ボリュームはバストの容量であり、ブラジャーのカップの深さに特に関係する。バージス間隔はバストの底面の幅であり、ブラジャーのワイヤの種類に特に関係する。バスト・ピッチは左右のバストの間隔であり、これもブラジャーのワイヤの種類に特に関係する。バスト・ボリューム、バージス間隔、およびバスト・ピッチはいずれも、バストの特徴に関する指標の一種ということができる。
【００２６】
図４は被服情報の一例を示す図である。被服情報は、被服と体型特徴との対応関係を示す情報である。個々の被服の情報は、被服を一意に特定する識別子である被服ＩＤと、被服の属性とを含む。例えば、被服属性は商品名、メーカ名、ブランド名、品番、サイズ、カラー、デザイン、機能、価格、製品画像などを含んでもよく、被服の種類に応じた詳細情報をさらに含んでもよい。ブラジャーの場合には、サイズは「Ｂ７５」「Ｄ６５」などのように、カップサイズとアンダーバストとの組合せで表される。また、ブラジャーの場合には、被服属性はワイヤの径、カップ容量、前中心などの詳細情報を含み得る。
【００２７】
図４の例では、５種類の体型特徴（ボディ・オーバル、トップ・テーパ、バスト・ボリューム、バージス間隔、およびバスト・ピッチ）のそれぞれについて、複数の数値範囲に対応する複数のレベルが設定される。ユーザのボディ・オーバルのレベルは、上記の式（１）で得られる値がどの数値範囲に含まれるかによって決まる。ユーザのトップ・テーパのレベルは、上記の式（２）で得られる値がどの数値範囲に含まれるかによって決まる。ユーザのバスト・ボリューム、バージス間隔、およびバスト・ピッチはいずれも、測定値がどの数値範囲に含まれるかによって決まる。被服情報におけるレベルと数値範囲とのこれらのような関係は、測定値と体型特徴との関係を示すルールの一種である。図４では、ボディ・オーバルおよびトップ・テーパについて５段階のレベルが設定され、バスト・ボリューム、バージス間隔、およびバスト・ピッチについて３段階のレベルが設定されている。しかし、個々の体型特徴に設定されるレベルの個数は限定されない。
【００２８】
図４の例では、被服属性の少なくとも一部が体型特徴と関連付けられることで、被服と体型特徴との対応関係が示される。しかし、被服と体型特徴との対応関係を表現する方法はこれに限定されない。例えば、体型特徴の個々のレコードに被服ＩＤのリストが直接に関連付けられることでその対応関係が表現されてもよい。
【００２９】
被服情報、体型特徴情報、および被服サイズ情報のいずれについても、データ構造は何ら限定されず、任意の方針で設計されてよい。例えば、これらの情報は任意に正規化または非正規化されて、一または複数のデータテーブル上に記憶されてよい。図４の例では、被服情報が、測定値と体型特徴との関係を示すルールを含むが、ルールを示す情報と被服情報とが分けられてもよい。データベース４０は複数のデータベースに分割されてもよい。
【００３０】
［システムの動作］
図５を参照しながら、被服レコメンドシステム１０の動作を説明するとともに本実施形態に係る被服レコメンド方法について説明する。図５は被服レコメンドシステム１０の動作を示すフローチャートである。
【００３１】
ステップＳ１１では、取得部１１が被服の検索条件を取得する。この検索条件は、ユーザの身体の測定値と、測定値以外の該ユーザの付加情報とを少なくとも含む。検索条件はユーザの被服サイズをさらに含んでもよい。ユーザの身体の測定値は一つでもよいし複数でもよい。例えば、ボディ・オーバルの判定のためには、アンダーバスト横径およびアンダーバスト厚径が測定値として取得される。ボディ・オーバルおよびトップ・テーパの判定のためには、アンダーバスト横径、アンダーバスト厚径、およびチェスト横径が測定値として取得される。付加情報は、ユーザに関し且つ測定値以外の任意の情報である。一例として、付加情報は、被服に関するユーザの好み（例えば、メーカ名、ブランド名、カラー、デザイン、機能、価格など）と、ユーザ自身の属性（例えば、年齢、職業など）とのうちの少なくとも一つを示してもよい。付加情報を構成するデータ項目は一つでもよいし複数個でもよい。付加情報の少なくとも一部は一または複数の画像（写真またはイラスト）で表現されてもよい。
【００３２】
検索条件の送信元は限定されず、また、その送信元は一つでも複数でもよい。これに対応して、取得部１１が検索条件を取得する方法も限定されない。例えば、被服サイズおよび付加情報は端末２０で入力されて被服レコメンドシステム１０に送信されてもよい。ユーザの身体の測定値は測定システム３０で取得されて被服レコメンドシステム１０に送信されてもよいし、ユーザまたは測定者により端末２０で入力されて被服レコメンドシステム１０に送信されてもよい。これらの場合には、取得部１１は端末２０または測定システム３０から送られてきたデータを受信する。あるいは、取得部１１は測定システム３０のデータベースにアクセスすることで測定値を読み出してもよい。
【００３３】
ステップＳ１２では、判定部１２が、取得された測定値から少なくともユーザの体型特徴を判定する。検索条件が被服サイズを含まない場合には、判定部１２はデータベース４０内の被服サイズ情報を参照して、取得された測定値からユーザの被服サイズをさらに判定する。
【００３４】
本実施形態では、判定部１２は測定値に基づいて、１以上の体型特徴のそれぞれについて複数のレベルから一つを選択することでユーザの体型特徴を判定する。この判定のために、判定部１２はデータベース４０内の被服情報を少なくとも参照し、さらに体型特徴情報をさらに参照してもよい。本実施形態では、判定部１２はボディ・オーバル、トップ・テーパ、バスト・ボリューム、バージス間隔、およびバスト・ピッチのうちの少なくとも一つに基づいてユーザの体型特徴のレベルを特定する。図４の被服情報を前提としてその判定方法を説明する。
【００３５】
ボディ・オーバルに基づく判定では、判定部１２はアンダーバスト横径をアンダーバスト厚径で除することでボディ・オーバルの値を求める。そして、判定部１２はデータベース４０を参照して、その値が所与の５段階のレベルのどれに該当するかを特定する。例えば、算出された値がＴａ３以上Ｔａ４未満であれば、判定部１２はボディ・オーバルのレベルが４であると特定する。
【００３６】
トップ・テーパに基づく判定では、判定部１２はチェスト横径をアンダーバスト横径で除することでトップ・テーパの値を求める。そして、判定部１２はデータベース４０を参照して、その値が所与の５段階のレベルのどれに該当するかを特定する。例えば、算出された値がＴｂ１以上Ｔｂ２未満であれば、判定部１２はトップ・テーパのレベルが２であると特定する。
【００３７】
バスト・ボリュームに基づく判定では、判定部１２はデータベース４０を参照して、取得されたバスト・ボリュームの値が所与の３段階のレベルのどれに該当するかを特定する。例えば、算出された値がＴｃ１以上Ｔｃ２未満であれば、判定部１２はバスト・ボリュームのレベルが２であると特定する。
【００３８】
バージス間隔に基づく判定では、判定部１２はデータベース４０を参照して、取得されたバージス間隔の値が所与の３段階のレベルのどれに該当するかを特定する。例えば、算出された値がＴｄ１未満であれば、判定部１２はバージス間隔のレベルが１であると特定する。
【００３９】
バスト・ピッチに基づく判定では、判定部１２はデータベース４０を参照して、取得されたバスト・ピッチの値が所与の３段階のレベルのどれに該当するかを特定する。例えば、算出された値がＴｅ２以上であれば、判定部１２はバスト・ピッチのレベルが３であると特定する。
【００４０】
ステップＳ１３では、検索部１３がデータベース４０を参照して、取得または判定された被服サイズと、判定された体型特徴と、取得された付加情報とに対応する被服を検索する。複数の体型特徴が用いられる場合には、検索部１３はその体型特徴のすべてに合致する被服を検索する。付加情報が複数のデータ項目を含む場合には、検索部１３はそのデータ項目のすべてに合致する被服を検索する。付加情報の少なくとも一部が一または複数の画像で示される場合には、検索部１３はその画像を用いた画像検索を実行してもよいし、その画像から対応するテキストを特定し、そのテキストを用いて検索を実行してもよい。
【００４１】
ステップＳ１４では、検索部１３が、検索された被服を示すレコメンド情報を生成する。レコメンド情報は検索された個々の被服の属性を示す。検索部１３は検索結果としてデータベース４０から読み出された被服情報を用いてレコメンド情報を生成する。検索部１３は被服情報以外のデータをさらに用いてレコメンド情報を生成してもよい。
【００４２】
ステップＳ１５では、送信部１４がレコメンド情報を端末２０に送信する。端末２０はそのレコメンド情報を受信および表示する。ユーザはこのレコメンド情報を見ることで、自分の体型に合った被服の詳細な情報を得ることができる。レコメンド情報はユーザが被服を購入する際の参考になり得る。
【００４３】
［効果］
以上説明したように、本開示の一側面に係る被服レコメンドシステムは、少なくとも一つのプロセッサを備える。少なくとも一つのプロセッサは、ユーザの身体の測定値を取得し、測定値以外のユーザの付加情報を取得し、人の身体の測定値と、該人の体型の特徴である体型特徴との関係を示すルールに基づいて、取得された測定値からユーザの体型特徴を判定し、被服と体型特徴との対応関係を示す被服情報を記憶するデータベースを参照して、ユーザの被服サイズと、判定された体型特徴と、取得された付加情報とに対応する被服を検索し、検索された被服を示すレコメンド情報を出力する。
【００４４】
本開示の一側面に係る被服レコメンド方法は、少なくとも一つのプロセッサを備える被服レコメンドシステムにより実行される。被服レコメンド方法は、ユーザの身体の測定値を取得するステップと、測定値以外のユーザの付加情報を取得するステップと、人の身体の測定値と、該人の体型の特徴である体型特徴との関係を示すルールに基づいて、取得された測定値からユーザの体型特徴を判定するステップと、被服と体型特徴との対応関係を示す被服情報を記憶するデータベースを参照して、ユーザの被服サイズと、判定された体型特徴と、取得された付加情報とに対応する被服を検索するステップと、検索された被服を示すレコメンド情報を出力するステップとを含む。
【００４５】
本開示の一側面に係る被服レコメンドプログラムは、ユーザの身体の測定値を取得するステップと、測定値以外のユーザの付加情報を取得するステップと、人の身体の測定値と、該人の体型の特徴である体型特徴との関係を示すルールに基づいて、取得された測定値からユーザの体型特徴を判定するステップと、被服と体型特徴との対応関係を示す被服情報を記憶するデータベースを参照して、ユーザの被服サイズと、判定された体型特徴と、取得された付加情報とに対応する被服を検索するステップと、検索された被服を示すレコメンド情報を出力するステップとをコンピュータに実行させる。
【００４６】
このような側面においては、ユーザの被服サイズと、該ユーザの身体の測定値から判定される該ユーザの体型特徴と、該ユーザの付加情報とに基づいて被服が検索され、その検索結果が出力される。これら３種類の情報を用いて被服を検索することで、効率的にユーザに被服を推薦することができる。
【００４７】
他の側面に係る被服レコメンドシステムでは、被服が、カップ部を有する衣服であってもよい。被服サイズと、ユーザの身体の測定値から判定される該ユーザの体型特徴と、該ユーザの付加情報とに基づいて、カップ部を有する衣服を検索することで、効率的にユーザに該衣服を推薦することができる。
【００４８】
他の側面に係る被服レコメンドシステムでは、測定値が、アンダーバスト横径およびアンダーバスト厚径の組合せと、チェスト横径およびアンダーバスト横径の組合せと、バストの容量であるバスト・ボリュームと、バストの底面の幅であるバージス間隔と、左右のバストの間隔であるバスト・ピッチとのうちの少なくとも一つを含んでもよい。少なくとも一つのプロセッサは、アンダーバスト横径とアンダーバスト厚径との比であるボディ・オーバルと、チェスト横径とアンダーバスト横径との比であるトップ・テーパと、バスト・ボリュームと、バージス間隔と、バスト・ピッチとのうちの少なくとも一つに基づいてユーザの体型特徴を判定してもよい。これら５種類の指標はいずれも、カップ部を有する衣服の着心地に大きく関連する。したがって、これらの指標のうちの少なくとも一つを用いることで、カップ部を有する衣服を効率的にユーザに推薦することができる。
【００４９】
［変形例］
以上、本開示の実施形態に基づいて詳細に説明した。しかし、本開示は上記実施形態に限定されるものではない。本開示は、その要旨を逸脱しない範囲で様々な変形が可能である。
【００５０】
上記実施形態では、ボディ・オーバルはアンダーバスト横径をアンダーバスト厚径で除することで得られるが、アンダーバスト厚径をアンダーバスト横径で除した値であってもよい。いずれにしても、ボディ・オーバルはアンダーバスト横径とアンダーバスト厚径との比である。上記実施形態では、トップ・テーパはチェスト横径をアンダーバスト横径で除することで得られるが、アンダーバスト横径をチェスト横径で除した値であってもよい。いずれにしても、トップ・テーパはチェスト横径とアンダーバスト横径との比である。
【００５１】
上記実施形態では判定部１２がボディ・オーバルおよびトップ・テーパの値を求めるが、この計算は他のコンピュータシステム（例えば測定システム３０）で実行されてもよい。この場合には、被服レコメンドシステムはボディ・オーバルまたはトップ・テーパを測定値として取得する。そして、被服レコメンドシステムは、測定値と体型特徴との関係を示すルールに基づいて、その取得された値から、ユーザのボディ・オーバルまたはトップ・テーパに関する体型特徴（例えば、レベル）を判定する。
【００５２】
上記実施形態ではそれぞれの体型特徴について複数のレベルが設定されるが、レベルの概念は必須ではない。被服情報はレベルを用いることなく被服と体型特徴との対応関係を定義してもよい。
【００５３】
ボディ・オーバル、トップ・テーパ、バスト・ボリューム、バージス間隔、およびバスト・ピッチは、ブラジャー以外の、カップ部を有する衣服を検索するために用いられてもよい。これら５種類の体型特徴は必須ではなく、被服レコメンドシステムは被服の種類に応じて任意の体型特徴を判定してもよい。
【００５４】
上記実施形態では被服レコメンドシステム１０が端末２０と通信ネットワークで接続されるが、被服レコメンドシステム１０の構成はこれに限定されない。例えば、被服レコメンドシステム１０は端末２０の機能を含んで構成されてもよい。この場合には、被服レコメンドシステム１０はレコメンド情報をモニタ上に表示する。この表示は出力の一例である。
【００５５】
被服レコメンドシステム内で二つの数値の大小関係を比較する際には、「以上」および「よりも大きい」という二つの基準のどちらを用いてもよく、「以下」および「未満」という二つの基準のうちのどちらを用いてもよい。このような基準の選択は、二つの数値の大小関係を比較する処理についての技術的意義を変更するものではない。
【００５６】
少なくとも一つのプロセッサにより実行される被服レコメンド方法の処理手順は上記実施形態での例に限定されない。例えば、上述したステップ（処理）の一部が省略されてもよいし、別の順序で各ステップが実行されてもよい。また、上述したステップのうちの任意の２以上のステップが組み合わされてもよいし、ステップの一部が修正又は削除されてもよい。あるいは、上記の各ステップに加えて他のステップが実行されてもよい。
【符号の説明】
【００５７】
１０…被服レコメンドシステム、１１…取得部、１２…判定部、１３…検索部、１４…送信部、２０…端末、３０…測定システム、４０…データベース。
【図１】
2020144503.tif 000003
【図２】
2020144503.tif 000004
【図３】
2020144503.tif 000005
【図４】
2020144503.tif 000006
【図５】
2020144503.tif 000007